(57)【要約】【課題】蛍光撮影等の時間経過による明るさの変動が大きな被写体を、ＡＥやＡＧＣ等で露出補正をしながら撮影した複数の画像を、全ての画像が一定の露出条件下で撮影された画像として再表現することにより、被写体の明るさの変化を容易に比較できるようにする。【解決手段】撮影時の電子撮像手段のゲイン、照明光量、撮影光の透過量調整手段の撮影光通過量等の撮影条件を撮影した画像と１対１で関連づけて記録する。１回の撮影ルーチンで撮影された複数の眼底画像群中の任意の画像を基準画像として選択して、この基準画像の撮影条件と画像群中の他の画像の撮影条件を比較して、基準画像に対する他の画像の画像補正値を計算し、この補正値を使用して画像群中の他の画像が基準画像の撮影条件下で撮影された画像と同等の画像として表現されるようにに補正する。【選択図】        図６
2004267616.tif 000002
【特許請求の範囲】
【請求項１】
撮影時の撮像手段の増幅率、被検眼に対する照明光量、撮像手段へ到達する撮影光量の調整手段の撮影光通過量のうちの少なくとも１つから成る撮影条件を変更しながら撮影された複数の画像から成る画像群に対し、該画像群中の全ての画像の前記撮影条件を用いて、前記画像郡中の全ての画像が、所定の撮影条件下で撮影された画像として表現をするための補正を行うことを特徴とする眼科機器。
【請求項２】
撮影時の撮像手段の増幅率、被検眼に対する照明光量、撮像手段へ到達する撮影光量の調整手段の撮影光通過量のうちの少なくとも１つから成る撮影条件を変更しながら撮影された複数の画像から成る画像群に対し、該画像群中から選択された基準画像の前記撮影条件と、前記画像群中の他の前記撮影条件とを用いて補正値を決定し、該補正値を用いて、前記他の画像が前記基準画像の前記画像撮影条件下で撮影された画像として表現をするための補正を行うことを特徴とする眼科機器。
【請求項３】
眼科撮影機器により被検眼の特定部位の画像を撮影した時の撮像手段の増幅率、被検眼に対する照明光量、撮像手段へ到達する撮影光量の調整手段の撮影光通過量のうちの少なくとも１つの情報を該眼科撮影機器より撮影条件として取り込む取り込み手段と、該取り込み手段によって取り込まれた該撮影条件を付加するか又は関連づけて前記画像と共に記録する前記記録手段と、該記録手段に記録された複数の画像から成る画像群に対し、前記画像群中の全ての画像の前記撮影条件を呼び出す読み出し手段と、該読み出し手段によって読み出された、前記画像群中の全ての画像の前記撮影条件を用いて、前記画像群中の全ての画像が所定の撮影条件下で撮影された画像として表現をするための補正に用いる補正値を決定する補正値決定手段と、補正値決定手段が決定した補正値を用いて、前記画像群中の全ての画像が所定の撮影条件下で撮影された画像として表現をするための補正を行う画像補正手段とを有することを特徴とする眼科機器。
【請求項４】
眼科撮影機器により被検眼の特定部位の画像を撮影した時の撮像手段の増幅率、被検眼に対する照明光量、撮像手段へ到達する撮影光量の調整手段の撮影光通過量のうち少なくとも１つの情報を該眼科撮影機器より撮影条件として取り込む取り込み手段と、該取り込み手段によって取り込まれた該撮影条件を付加するか又は関連づけて前記画像と共に記録する前記記録手段と、該記録手段に記録された複数の画像から成る画像群に対し、該画像群中より任意に１つの基準画像を選択する画像選択手段と、該画像選択手段により選定された基準画像の前記撮影条件と、前記画像群中の他の画像の前記撮影条件を呼び出す読み出し手段と、該読み出し手段によって読み出された前記基準画像の前記撮影条件と前記他の画像の前記撮影条件を用いて、前記他の画像が前記基準画像の前記画像撮影条件下で撮影された画像として表現をするための補正に用いる補正値を決定する補正値決定手段と、補正値決定手段が決定した補正値を用いて、前記他の画像が前記基準画像の前記画像撮影条件下で撮影された画像として表現をするための補正を行う画像補正手段とを有することを特徴とする眼科機器。
【発明の詳細な説明】
【０００１】
【発明の属する技術分野】
本発明は、眼科機器に関するものである。
【０００２】
眼科医療分野において、前眼部や網膜及び脈絡膜に対し蛍光造影剤を被検者静脈から注入（静注）する蛍光造影撮影が広く行われている。被検者に静注された蛍光造影剤は、血流循環にのって被検眼に到達する。蛍光造影剤は時間経過に伴って当初は徐々に被検眼内で濃度を増して行く。最大濃度に達した後は体内循環に依る吸収や排泄により蛍光剤の被検眼内濃度は徐々に低下してゆく。即ち、蛍光造影撮影においては原則的に、蛍光剤に静注後時間経過に従って、撮影部位が暗い状態から急激に明るくなり、その後徐々に暗くなってゆくことになる。
【０００３】
蛍光造影撮影においては体液の眼内循環や体内循環の状態を把握するために、上述の明るさの変化も重要な情報である。このため、蛍光造影撮影の際には照明光量や撮影手段の露光状態や感度の変更を行わないのが普通である。
【０００４】
使用する撮影手段としては銀塩フィルムが主であるが、近年ではＣＣＤなどを用いた電子画像撮影も行われている。（特開平１０−２６０４８７号公報）
【０００５】
【発明が解決しようとする課題】
しかしながら上述の従来例においては、時間経過による被写体の明るさの変化が激しい。従来の銀塩フィルムを用いる撮影においては、ラチチュード（露出寛容範囲）が広く、被写体の撮影中の明るさの変化に対して実用上問題の無い画像を撮影することが可能である。
【０００６】
しかし、電子撮像手段は銀塩フィルムに比べてラチチュードが狭く、被写体の明るさの変化に対してに対して撮影画像が暗すぎたり、明るさが飽和したりする場合がある。そこで適正な画像を得るためにはゲイン（信号増幅率）の変更や照明光量の変更を行わなければならないが、このために上述の被写体の明るさの変化と言う重要な情報が欠落してしまい、循環に関する診断には非常に使いにくい画像しか得ることができない。
【０００７】
本発明の目的は、上述の問題点を解消し、良好な露出度の画像が得られる眼科機器を提供することにある。
【０００８】
【課題を解決するための手段】
上記目的を達成するための本発明に係る眼科機器は、撮影時の撮像手段の増幅率、被検眼に対する照明光量、撮像手段へ到達する撮影光量の調整手段の撮影光通過量のうちの少なくとも１つから成る撮影条件を変更しながら撮影された複数の画像から成る画像群に対し、該画像群中の全ての画像の前記撮影条件を用いて、前記画像郡中の全ての画像が、所定の撮影条件下で撮影された画像として表現をするための補正を行うことを特徴とする。
【０００９】
本発明に係る眼科機器は、撮影時の撮像手段の増幅率、被検眼に対する照明光量、撮像手段へ到達する撮影光量の調整手段の撮影光通過量のうちの少なくとも１つから成る撮影条件を変更しながら撮影された複数の画像から成る画像群に対し、該画像群中から選択された基準画像の前記撮影条件と、前記画像群中の他の前記撮影条件とを用いて補正値を決定し、該補正値を用いて、前記他の画像が前記基準画像の前記画像撮影条件下で撮影された画像として表現をするための補正を行うことを特徴とする。
【００１０】
本発明に係る眼科機器は、眼科撮影機器により被検眼の特定部位の画像を撮影した時の撮像手段の増幅率、被検眼に対する照明光量、撮像手段へ到達する撮影光量の調整手段の撮影光通過量のうちの少なくとも１つの情報を該眼科撮影機器より撮影条件として取り込む取り込み手段と、該取り込み手段によって取り込まれた該撮影条件を付加するか又は関連づけて前記画像と共に記録する前記記録手段と、該記録手段に記録された複数の画像から成る画像群に対し、前記画像群中の全ての画像の前記撮影条件を呼び出す読み出し手段と、該読み出し手段によって読み出された、前記画像群中の全ての画像の前記撮影条件を用いて、前記画像群中の全ての画像が所定の撮影条件下で撮影された画像として表現をするための補正に用いる補正値を決定する補正値決定手段と、補正値決定手段が決定した補正値を用いて、前記画像群中の全ての画像が所定の撮影条件下で撮影された画像として表現をするための補正を行う画像補正手段とを有することを特徴とする。
【００１１】
本発明に係る眼科機器は、眼科撮影機器により被検眼の特定部位の画像を撮影した時の撮像手段の増幅率、被検眼に対する照明光量、撮像手段へ到達する撮影光量の調整手段の撮影光通過量のうち少なくとも１つの情報を該眼科撮影機器より撮影条件として取り込む取り込み手段と、該取り込み手段によって取り込まれた該撮影条件を付加するか又は関連づけて前記画像と共に記録する前記記録手段と、該記録手段に記録された複数の画像から成る画像群に対し、該画像群中より任意に１つの基準画像を選択する画像選択手段と、該画像選択手段により選定された基準画像の前記撮影条件と、前記画像群中の他の画像の前記撮影条件を呼び出す読み出し手段と、該読み出し手段によって読み出された前記基準画像の前記撮影条件と前記他の画像の前記撮影条件を用いて、前記他の画像が前記基準画像の前記画像撮影条件下で撮影された画像として表現をするための補正に用いる補正値を決定する補正値決定手段と、補正値決定手段が決定した補正値を用いて、前記他の画像が前記基準画像の前記画像撮影条件下で撮影された画像として表現をするための補正を行う画像補正手段とを有することを特徴とする。
【００１２】
【発明の実施の形態】
本発明を図示の実施の形態に基づいて詳細に説明する。
図１は撮影装置の構成図である。連続照明光源制御手段３に発光制御された連続発光光源のランプ２や、ストロボ光源制御手段５に発光制御されたストロボ照明光源のストロボ管４から発した照明光は、コンデンサーレンズ６を経て、フィールドレンズ７とリングスリット８にてリング状に成形される。リング状に成形された照明光はリレーレンズ１４と有害光の遮光部材９、１５を経て、穴あきミラー１６で反射され対物レンズ１７を経て被検眼Ｅに照射される。上述の照明光学系により撮影部の照明が行われる。連続照明光源制御手段３とストロボ光源制御手段５は制御手段３５から発光光量や発光タイミングや発光時間などの指示を受け所定の光源制御を行う。
【００１３】
被検眼Ｅからの反射光は、再び対物レンズ１７と穴あきミラー１６の穴部分、光軸方向に移動可能なフォーカスレンズ１８と結像光学系２３を通過して、制御手段３５に動作制御された図示しない既知の駆動手段により光路中へ挿入離脱が自在に設置された跳ね上げミラー２４に至る。跳ね上げミラー２４が光路中に有る場合には、被検眼Ｅからの反射光はミラー２５に至り、ファインダ光学系２６を経て検者眼ｅの瞳に上に結像し、被検眼Ｅに対する肉眼観察が行える。
【００１４】
跳ね上げミラー２４が光路中から離脱している場合には、被検眼Ｅからの反射光は電子撮像素子２７と画像信号増幅手段２８によって構成されている撮像手段２９に至り、電子撮像素子２７に結像し、その画像信号出力は画像信号増幅手段２８で所定のゲイン（信号増幅率）で信号増幅処理が行われ、既知の電気的な接続を通じて画像処理記録手段３０に送られ画像として保存される。同時に画像表示装置３２にも送られて表示が行われる。
【００１５】
画像表示手段３２は制御手段３５の制御下に置かれ、表示モードの切り替えが制御されて、撮像手段２９からの入力と、画像処理記録手段３０からの入力を切り替え表示する。
【００１６】
また、画像表示装置３２の表示面上には透明なタッチセンサ４６が設置され、表示面上の位置を検者が選択した場合に、その位置情報を制御手段３５へ入力する。
【００１７】
画像信号増幅手段２８は制御手段３５からの制御によってゲインの切り替えが行える。また、電子撮像素子２７の受光状態や画像信号増幅手段２８のゲインは画像信号増幅手段２８を介して制御手段３５によってモニタができる。
【００１８】
更に、撮影光路中には撮影光の一部を取り出すための分光ミラー３３が設置され、その分光光路の先には光量センサ３４が設置される。この光量センサ３４の出力は制御手段３５に入力され電子撮像手段２７の露光量の指標としてモニタされる。この光量センサ３４からの入力信号と画像信号増幅手段２８のゲインを基に制御手段３５は連続照明光源制御手段３やストロボ光源制御手段５の光源光量制御機能を自動制御することができる。
【００１９】
照明光学系には、可視蛍光造影撮影用の可視蛍光エキサイタフィルタ１０と、赤外蛍光造影撮影用の赤外蛍光エキサイタフィルタ１２が、それぞれ制御手段３５に動作制御されたソレノイド等の駆動手段１１、１３によって光路中に挿入離脱可能に設置されている。撮影光学系にも同様に、可視蛍光造影撮影用の可視蛍光バリアフィルタ１９と、赤外蛍光造影撮影用の赤外蛍光バリアフィルタ２１が、それぞれ制御手段３２に動作制御されたソレノイド等の駆動手段２０、２２によって光路中に挿入離脱可能に設置されている。エキサイタフィルタの働きは、所定の蛍光造影剤に蛍光を発生させるための励起光のみを照明光の中から抽出する。バリアフィルタの働きは被検眼Ｅから来る蛍光光と反射励起光のうち、励起光のみをブロックする。これらの働きは可視、赤外とも同様である。
【００２０】
可視蛍光撮影モードの際には、制御手段３５は可視蛍光エキサイタフィルタ１０と可視蛍光バリアフィルタ１９の少なくとも何れか一方を光路内に挿入する。
【００２１】
赤外蛍光撮影モードの際には、制御手段３２は赤外蛍光エキサイタフィルタ１２と赤外蛍光バリアフィルタ２１の少なくとも何れか一方を光路内に挿入する。
【００２２】
カラー撮影モードの際には、上述のフィルタは一切光路中に挿入しない。上記の様な撮影モードの切り替えは、モード切替入力手段３９からの入力に従って制御手段３５が行う。
【００２３】
図２に示すように、制御手段３５は装置各部の動作制御や各動作モード制御や演算処理及び状況判断等を行う主処理制御手段５０と、日付（年月日）と時刻を発生するカレンダー及び時計手段５１と、光量テーブルや撮像素子２８のガンマ特性γｃや表示手段３２のガンマ特性γｃなどの装置制御に関する諸設定値を記憶している設定値テーブル５２と、外部からの入力値や制御のために設定値テーブルから読み出した諸設定値や演算結果等やデータの入力時刻や処理時刻を一時的に記憶する内部メモリ５３と、主処理制御手段５０の補助を行う周辺デバイス５４により構成される。
【００２４】
主処理制御手段５０は光量制御手段３５、画像信号増幅手段２８、画像記録手段３０、画像処理手段３１、各部アクチュエータ１１、１３、２０、２２、２４等に電気的な接続をして所定の制御を行う。また、入力手段３７〜４４及びタッチパネル４６からの入力を受けて各部の制御の内容を変更したり、画像記録手段３０や画像処理手段３１に所定の情報を入力する。また、所定の制御情報や入力情報を表示手段４５へ表示を行う。
【００２５】
図３は本実施の形態における眼科撮影装置である。撮影装置本体６０は可動台６１の上に設置され、操作桿３６を操作することによって被検眼Ｅａに対して上下前後左右に機構的な可動範囲内で自由に移動できる。撮影装置本体６０には撮像手段２９、フォーカス調整つまみ６３が設置されている。可動台６１上には画像表示手段３２と、操作桿３６と、それにに取り付けられた撮影スイッチ３７と、入力手段群３８〜４４及び表示手段４５が設置されている。
【００２６】
図４は可動台６１の上に設置された入力手段群を示したものである。操作桿３６上に撮影スイッチ３７が設置されている。撮影スイッチ３７が押される（ＯＮ）とストロボ管４が発光し、その発光に同期して電子撮像手段２９によってストロボ光に照明された被検眼の所定部位の画像の撮像が行われる。
【００２７】
操作パネル上には、被検者ＩＤの入力などの文字入力や画像処理などの複雑な設定の入力を行うキーボードスイッチ３８、被検者ＩＤは制御手段３５において同時に複数記憶可能でキーボードスイッチ３８の操作で被検者ＩＤの切り替えが可能である。撮影モードの切り替えを行うモード切替入力手段３９、連続照明光源２の光量設定用のランプ調光ダイヤル４０、ストロボ照明光源４の光量設定用のストロボ調光ダイヤル４１、画像信号増幅手段２８の固定ゲインを設定するゲインダイヤル４２、特定の時刻に押すとその時刻をマークする信号を制御手段３５に入力するタイマスイッチ４３、撮影モードに応じて上述の各エキサイタフィルタ、バリアフィルタを光路内から挿脱するフィルタスイッチ４４、タイマや画像信号増幅手段２８のゲインや照明光量、撮影モード等を表示する表示手段４５が設置されている。
【００２８】
図５は画像処理記録手段３０のブロック回路図であり、入力ポート８１により制御信号やデータを受け取り、データは固体メモリなどの一時記憶手段８２に一時記憶され、制御信号はＣＰＵ８５に入力される。ＣＰＵ８５は画像処理記録手段３０全体の制御や、一時記憶手段８２やハードディスクなどの恒久記憶手段３１に記憶されたデータの処理を行う。出力ポート８４からは、ＣＰＵで処理されたデータや制御信号などが外部へ出力される。
【００２９】
以上の構成により被検眼の撮影を行う場合以下のように操作及び動作する。撮影前にモード切替入力手段３９で可視蛍光造影撮影モードや赤外蛍光造影撮影モードなどの撮影モードを設定する。ゲインダイヤル４２により所望のゲインＧｎを設定し、被検眼Ｅａにアライメントを行った後に、被検者に蛍光造影剤を静注する。静注と同時にタイマスイッチ４３を押し、タイマのスタート時刻ｔｏを制御手段３５へ入力する。制御手段３５はカレンダー及び時計手段５１の発生する時刻Ｔｎからスタート時刻ｔｏを減算してタイマスタートからの時間ｔｎを計算し続ける。タイマスタート後に撮影される画像Ｐｎに対して時間ｔｎを付加するために画像処理記録手段３０に入力する。
【００３０】
ファインダ光学系２６で撮影部位を観察しながら撮影スイッチ３７を押して撮影を行う。このとき、制御手段３５は前述のように光量センサ３４からの入力による電子撮像手段２７の露光量モニタと発光量を画像信号増幅手段２８のゲインＧｎと比較をすることで、ストロボ光源制御手段５を介してストロボ管４の適正光量Ｆｎに成るように自動設定する。必要に応じてゲインＧｎを変更しながら複数の画像Ｐｎを撮影を行う。上述のように設定された撮影モード、ゲインＧｎ、光量Ｆｎ、は設定と同時に制御手段３５内の内部メモリ５３に一時記憶される。
【００３１】
画像Ｐｎの撮影終了時に、増幅手段２８から出力されてきた画像Ｐｎは、図５に示される画像処理記録手段３０の入力ポート８１を経由して一時記憶手段８２へ取り込まれる。同時に、制御手段３５内の内部メモリ５３に記憶されていた撮影モード、ゲインＧｎ、光量Ｆｎ、タイマ時間ｔｎの情報が同じく入力ポート８１を経由して一時記憶手段８２へ取り込まれる。
【００３２】
画像処理記録手段３０のＣＰＵは、一時記憶手段８２に記録された画像Ｐｎに撮影モード、ゲインＧｎ、光量Ｆｎ、タイマ時間ｔｎなどの撮影条件パラメーターを付加する処理をして、恒久記憶手段３１へ画像群Ｓｏの１画像として記録する。なお、ｎは任意の自然数であり、ｎ＝１→ｄ→ｍ。
【００３３】
この被検者のこの撮影モードでの撮影終了時には、再びタイマスイッチ４３を押すと制御手段３５はタイマを停止し、画像処理記録手段３０に画像群Ｓｏに属する画像の取り込みと記録を終了させる。
【００３４】
以下、図６に示される画像処理の詳細である。制御手段３５から画像処理記録手段３０に対して画像処理命令が入力されると恒久記憶手段３１に記録されたの画像群Ｓｏ中のｍ個の画像Ｐｎとそれに付随する撮影条件などのデータを、一時記憶手段８２へ書き出す。同時に撮像手段２７のガンマγｃが制御手段３５から一時記憶手段８２へ読み込まれる。
【００３５】
一時記憶手段８２へ読み込まれたデータを図５に示すＣＰＵ８５によって画像に変換し、その一部を図７に示すように画像表示手段３２に表示する。この時表示されている画像は同等の明るさで表示されている。本例では時間経過に従って被写体が明→暗とするが、勿論、逆に暗→明や、周期的に暗→明→暗となるような場合もあるが、同様に考えてよい。
【００３６】
基準画像として選定したい画像を検者が指すと、画像表示装置３２の表示面上のタッチセンサ４６は、検者が指した表示面上の位置を制御手段３５介して画像処理記録手段３０に入力し、画像処理記録手段３０はその位置に表示されている画像を認識し基準画面Ｐｄとして決定する。
【００３７】
画像処理手段３１において以下のように画像処理が施されることにより、画像Ｐｎは画像Ｐｄと同じ光量Ｆｄ、同じゲインＧｄの条件の下で撮影された画像として表現することが可能である。
【００３８】
光量ＦｄとＦｎ比較して画像の補正値に変換する関数をｆ１（Ｆｄ，Ｆｎ）、ゲインＧｄとＧｎを比較して画像の補正値に変換する関数をｆ２（Ｇｄ，Ｇｎ）とする。
【００３９】
本実施の形態では、画像画像Ｐｎは画像Ｐｄの撮影時の撮像素子２７の受光面の受光光量に着目し、ｆ１、ｆ２をその明るさの比を求める関数として以下のように定義する。関数ｆ１、ｆ２（Ｆｄ，Ｆｎ）は、照明光源の発光量に対する撮像素子２７の受光面の受光光量は比例するので、
ｆ１（Ｆｄ，Ｆｎ）＝Ｆｎ／Ｆｄ・・・（１）
【００４０】
関数ｆ２（Ｇｄ，Ｇｎ）は、ゲインＧｄ，Ｇｎは通常ｄＢを単位とし、ゲインＧｏの増幅量Ｅ／Ｅｏは以下のように定義される。
Ｅ／Ｅｏ＝１０＾（Ｇｏ／２０）・・・（２）
【００４１】
撮像素子２７の受光面の受光光量比は増幅量の比として考えることができるので、
ｆ２（Ｇｄ，Ｇｎ）＝｛１０＾（Ｇｎ／２０）｝／｛１０＾（Ｇｄ／２０）｝・・・（４）
【００４２】
画像Ｐｈに対する画像Ｐｎの画像補正値Ｒｎは次式にて表される。
Ｒｎ＝ｆ１（Ｆｎ，Ｆｄ）×ｆ２（Ｇｎ，Ｇｄ）＝（Ｆｎ／Ｆｄ）×｛１０＾（Ｇｎ／２０）｝／｛１０＾（Ｇｄ／２０）｝・・・（５）
【００４３】
画像Ｐｎのルックアップテーブルは、図８の特性７０のようになる。この特性７０における入力Ｖと、出力ｐの関係は
Ｖ＝ａ×（ｐ＾γｃ）∵ａ＝１／ｐｍａｘ・・・（６）
である。
【００４４】
この式中の右辺に、式（５）で算出した補正値Ｒｎを乗じ以下の補正式を得る。
Ｖ＝Ｒｎ×ａ×（ｐ＾γｃ）・・・（７）
【００４５】
図５に示す画像処理記録手段３０のＣＰＵ８５は、メモリ８２に読み込まれている画像Ｐｄの光量ＦｄとゲインＧｄ及び画像Ｐｎの光量ＦｎとゲインＧｎと撮像手段のγを用いて、画像群Ｓｏ中のｍ個の画像Ｐｎに対して、式（５）を用いた補正値Ｒｎを算出し、式（７）で決定した特性７１（Ｒｎ＞１）又は特性７２（Ｒｎ＜１）に示されるルックアップテーブルＬｎを図９に示すように順次に作成し、メモリ８７に蓄積する。このルックアップテーブルＬｎを画像Ｐｎの表示に用いて、画像Ｐｄを撮影した時の発光光量Ｆｄ及び撮影時ゲインＧｄの下で撮影した画像として表現させる。
【００４６】
図１０は上記の画像処理を施した後の画像群Ｓｏ中の全ての画像に行った後の画像表示手段３２における表示である。処理の内容に従って、基準画像Ｐｈに対して各画像が明るさが違うように表現される。
【００４７】
この状態から画像Ｐｄではない別の画像Ｐｄ’を前述のように選択すると、基準画像が画像Ｐｈから画像Ｐｄ’に変更されて、新たに画像Ｐｄ’を基準として前述の画像処理が行われ、画像表示手段３２において図１１に示すように表示される。
【００４８】
また、基準画像Ｐｄから離れた画像の表示を良好に行うために、ｂ＜１となる圧縮係数ｂを式（７）の右辺に乗じ、
Ｖ＝ｂ×Ｒｎ×ａ×（ｐ＾γｃ）  ・・・（８）
【００４９】
式（８）で決定した特性７３（Ｒｎ＞１）又は特性７４（Ｒｎ＜１）に示されるルックアップテーブルＬｎ’を作成し、基準画像Ｐｄ以外の画像Ｐｎの表現に用いてもよい。
【００５０】
この場合には、実際の被写体の明るさの差が圧縮されて表現されるので読影には注意を要する。
【００５１】
再現の精度を上げるためには、画像Ｐｎのルックアップテーブルに対して撮像手段２７の特性をキャンセルする処理を行った後に、その結果に対して補正値Ｒｎで補正した表示用ルックアップテーブルＬｎの作成をする。
【００５２】
図１２のルックアップテーブル特性７０に示される画像Ｐｎの画像データを、撮像手段２７のガンマ特性γｃの逆数でべき乗して、特性７５に示されるγ＝１を画像データに補正する。
【００５３】
図１３に示されるように、画像Ｐｎのルックアップテーブルは特性７５となる。この特性７５における入力Ｖと出力ｐの関係は、
Ｖ＝ｐ・・・（９）
【００５４】
式（９）の右辺に式（５）で算出される補正値Ｒｎを乗じ以下の補正式を得る。
Ｖ＝Ｒｎ×ｐ・・・（１０）
【００５５】
画像群Ｓｏ中の画像Ｐｎに対して、式（１０）で決定した特性７６（Ｒｎ＞１）又は特性７７（Ｒｎ＜１）に示されるルックアップテーブルＬｎを作成し、画像Ｐｎの表示に用いる。
【００５６】
更に、表示上の精度を高めるために、前述の特性７６（Ｒｎ＞１）又は特性７７（Ｒｎ＜１）に表示手段３２のγ特性γｍを適応したルックアップテーブルを補正を行う。
【００５７】
図１４の式（１０）で示される特性７６（Ｒｎ＞１）又は特性７７（Ｒｎ＜１）に対し、式（１０）の右辺のｐを表示手段３２のγ特性γｍでべき乗し以下の補正式を得る。
Ｖ＝Ｒｎ×ｐ＾γｍ・・・（１１）
【００５８】
画像群Ｓｏ中の画像Ｐｎに対して、式（１１）で決定した特性７８（Ｒｎ＞１）又は特性７９（Ｒｎ＜１）に示されるルックアップテーブルＬｎ”を作成し、画像Ｐｎの表示に用いる。
【００５９】
上記画像補正においては、発光光量とゲインの両方をパラメータとして行っているが、どちらかを固定化して１パラメータで補正量の決定を行うことも可能である。この場合に、必要に応じてｆ１（Ｆｎ，Ｆｄ）又はｆ２（Ｇｎ，Ｇｄ）に１を代入すればよい。
【００６０】
タッチセンサで画像選択をする以外にも、キーボードスイッチ３８に設けたカーソルキー等によって画像選択を行ったり、キーボードスイッチ３８から画像ＩＤを打ち込むことで画像を選択することも可能である。
【００６１】
図１５に示すように、電子撮像手段２７の前に液晶盤や、透過率の異なる切替可能な複数のＮＤフィルタ等の透過率を変更できる透過率可変部材４７を設置し、同部材４７を制御手段３５の制御下におく。光量センサ３４の出力から制御手段３５が検知した照明光学系における光量に応じて、電子撮像手段２９の露光量が適正に成るように透過率可変部材４６を変更し、電子撮像手段２７の露光量を調整できるように構成すれば、ストロボ管４の発光光量の変更や画像信号増幅手段２８のゲイン変更の代わり又は補助として使用可能になる。即ち、撮影条件パラメータとして透過率を使用することも可能である。
【００６２】
基準画像Ｐｄと任意の画像Ｐｎの撮影時の透過率可変部材４７の透過率を各々Ｅｄ、Ｅｎとし、前述のように画像画像Ｐｎは画像Ｐｄの撮影時の撮像素子２７の受光面の明るさ比を求める関数として、ｆ３を以下のように定義する。
【００６３】
透過率の単位にＮＤを採用すると。ＮＤ＝Ｅｎの時に透過した光の量は、１／（１０＾Ｅｎ）×１００［％］となるので、
ｆ３（Ｅｎ，Ｅｄ）＝（１０＾Ｅｎ）／（１０＾Ｅｄ）・・・（８）
となる。これを式（５）に乗ずれば、撮影条件パラメータとして透過率を使用できる。
【００６４】
上記例では、画像ＩＤパラメーター及び撮影条件パラメーター等の付加情報を、画像自体に付加して画像処理記録手段３０に記録しているが、例えば画像とその画像の付加情報に各々同じシリアルナンバー等を付加して別々に記録し、必要に応じて付加したシリアルナンバーを頼りに各々を呼び出し、一体の画像情報として活用することも可能である。
【００６５】
画像処理記憶手段３０のＣＰＵ８５を制御手段３５が兼ねることは可能である。
【００６６】
また、画像処理記憶手段３０と画像表示手段３２を内蔵とせず、処理装置及び表示装置として独立させて眼科撮影装置本体の制御手段３５と電気的接続を成し、全体で一つの眼科撮影装置として構成できることは自明である。
【００６７】
【発明の効果】
以上説明したように本発明に係る眼科機器は、蛍光造影撮影のような撮影対象の明るさの変化が大きな被写体撮影においても、ラチチュード（露出寛容範囲）の狭い電子撮像手段を用いて、露光量補正や画像信号の増幅率調整により最適な露出状態の画像を得ることのできる一方で、更に露光量補正や画像信号の増幅率調整により失われた、蛍光造影画像の時間経過に伴う明るさの変化を視覚的に判断できるようになる。即ち、従来の銀塩写真画像で得られてきた画像の診断価値に、電子画像撮影による画像保存、検索や応用の利便性とを付加することになり、撮影された画像の価値を大きく向上させることになる。
【図面の簡単な説明】
【図１】装置の構成図である。
【図２】制御手段の説明図である。
【図３】装置の外観図である。
【図４】操作系の説明図である。
【図５】画像処理記憶手段のブロック回路図である。
【図６】処理のフローチャート図である。
【図７】画像群Ｓｏ中の画像表示の例である。
【図８】画像Ｐｎのルックアップテーブルである。
【図９】図６のサブルーチンのフローチャート図である。
【図１０】画像処理後の画像群Ｓｏ中の画像表示の例である。
【図１１】基準画像変更後の画像群Ｓｏ中の画像表示の例である。
【図１２】画像データのγ＝１への補正である。
【図１３】γ＝１に補正後のルックアップテーブルである。
【図１４】表示手段のガンマ特性によるルックアップテーブルである。
【図１５】装置の構成図である。
【符号の説明】
２７  電子撮像素子
２８  画像信号増幅手段
２９  撮像素子
３０  画像処理記録手段
３２  画像表示装置
３４  光量センサ
３５  制御手段
【図１】
2004267616.tif 000003
【図２】
2004267616.tif 000004
【図３】
2004267616.tif 000005
【図４】
2004267616.tif 000006
【図５】
2004267616.tif 000007
【図６】
2004267616.tif 000008
【図７】
2004267616.tif 000009
【図８】
2004267616.tif 000010
【図９】
2004267616.tif 000011
【図１０】
2004267616.tif 000012
【図１１】
2004267616.tif 000013
【図１２】
2004267616.tif 000014
【図１３】
2004267616.tif 000015
【図１４】
2004267616.tif 000016
【図１５】
2004267616.tif 000017